(57)【特許請求の範囲】
【請求項１】
既設支持アーム（５０）に設けられた３連耐張装置取付のための３つの取付点（１０）（１０）（１０）にそれぞれ連結された直角クレビスリンク（１１）（１１）（１１）と直角クレビス（１２）（１２）（１２）を介して地側バランスヨーク（１３）を連結し、この地側バランスヨーク（１３）に、２連耐張装置の２連碍子連（２３）（２３）から線側ヨーク（２６）を介して電線クランプ（３６）に至る連結金具（２）を連結してなる３点支持２連耐張装置において、地側バランスヨーク（１３）は、既設支持アーム（５０）の３つの取付点（１０）（１０）（１０）にそれぞれ連結された直角クレビスリンク（１１）（１１）（１１）と直角クレビス（１２）（１２）（１２）によって中間連結部と両端部とを連結された並設の２つの地側ヨーク（１４）（１４）からなり、各碍子連（２３）（２３）の地側端部が互いに接続されることなく分離した状態で、地側ヨーク（１４）（１４）にそれぞれ連結されており、線側ヨーク（２６）は、略中央部から上下方向に垂直板が延出された水平ヨーク（２７）と、水平ヨーク（２７）の垂直板と略中央部において接続された上下一対の水平固定ヨーク（２９）（２９）とからなることを特徴とする３点支持２連耐張装置。
【請求項２】
各碍子連（２３）（２３）の線側端部が互いに接続されることなく分離した状態で線側ヨーク（２６）にそれぞれ連結されている請求項１に記載の３点支持２連耐張装置。
【請求項３】
地側バランスヨーク（１３）の中間連結部と両端部及び２連碍子連（２３）（２３）の連結点とが一直線上に形成されていることを特徴とする請求項１又は２に記載の３点支持２連耐張装置。
【請求項４】
線側ヨーク（２６）に設けられた２連碍子連（２３）（２３）の連結金具連結点と、電線クランプ（３６）の連結点とが一直線上に形成されていることを特徴とする請求項１乃至３のいずれかに記載の３点支持２連耐張装置。
【請求項５】
地側バランスヨーク（１３）の各地側ヨーク（１４）（１４）の両連結金具連結点の間の内側を外側の２倍の比に分かつ各中間連結点に一端を連結した少なくとも直角クレビスリンク（１７）とボールクレビス（２２）とを含む連結部材の他端に２連碍子連（２３）（２３）をそれぞれ連結した請求項１乃至４のいずれかに記載の３点支持２連耐張装置。
【請求項６】
地側バランスヨーク（１３）に取り付けられた直角クレビスリンク（１７）の他端と碍子連（２３）に取り付けられたボールクレビス（２２）との間にバーニア金具（１８）を介装した請求項１乃至５のいずれかに記載の３点支持２連耐張装置。
【請求項７】
既設支持アーム（５０）の取付点（１０）に連結された直角クレビスリンク（１１）と地側バランスヨーク（１３）に連結された直角クレビス（１２）との間にバーニア金具（３８）を介装した請求項１乃至５のいずれかに記載の３点支持２連耐張装置。
【発明の詳細な説明】
【技術分野】
【０００１】
この発明は、既設鉄塔の支持アームに３点支持で連結される３点支持２連耐張装置に関するものである。
【背景技術】
【０００２】
この種の従来装置としては、例えば特許文献１の図１（以下、従来例１と称す）及び図２（以下、従来例２と称す）に開示されている３点支持２連耐張装置がある。
【０００３】
従来例１における３点支持２連耐張装置は、既存支持アームに設けられた３連耐張装置取付のための３つの取付点に、それぞれ連結金具が連結され、この連結金具を介して地側バランスヨークが連結され、この地側バランスヨークに平行クレビスを介して地側２連ヨークが連結され、さらに地側２連ヨークに２連碍子連、線側２連ヨークを介して多導体固定ヨークが連結され、この多導体固定ヨークの上下両側にそれぞれ連結金具を介して電線クランプが連結されることで構成されている。
【０００４】
詳しくは、地側バランスヨークが、既設支持アームの３つの取付点にそれぞれ連結された連結金具によって、中間連結部と両端連結点とが連結された並設の２つのヨークと、各ヨークの中間連結点に一端を連結した長さの等しい２つの平行リンクと、平行リンクの他端に連結された水平ヨークとで構成されている。また、２つのヨークの中間連結部及び両端連結点と、平行リンクの一端が連結される中間連結点とは、一直線上（オフセット零）になるよう位置されており、有風時でもアンバランスが生じない構成となっている。
【０００５】
また、この水平ヨークと地側２連ヨークとが、一端が水平ヨークの両リンク連結点の中点に連結され、他端が２等辺３角形状の地側２連ヨークの頂点部に連結された平行クレビスで連結されている。そのため、２連碍子連にそれぞれ異なる荷重が作用したとしても、水平ヨークの両リンク連結点の中点に合計荷重が作用し、既存支持アームの取付点には、合計荷重を均等に分配した荷重が作用するとともに、水平角を有する取付箇所においても、バーニア金具を使用することなく取り付けることができるようになっている。また、水平ヨークの平行リンク連結点と、平行クレビスの一端が連結される両リンク連結点の中点とは、オフセット零になるよう位置されているため、有風時でもアンバランスが生じない。
【０００６】
さらに、２連碍子連の線側には、それぞれ連結金具を介して２等辺３角形状の線側２連ヨークの両端部が連結されているとともに、線側２連ヨークの頂点部と多導体固定ヨークとが支軸を介して水平動可能に連結されている。
【０００７】
従って、従来例１の３点支持２連耐張装置は、大まかに言えば、地側バランスヨーク（２つのヨークと水平ヨークとからなる）と、地側２連ヨークと、２連碍子連と、線側２連ヨークと、多導体固定ヨークとから構成されていると言える。
【０００８】
従来例２の３点支持２連耐張装置においては、地側バランスヨークが、既存支持アームの３つの取付点にそれぞれ連結されたバーニア金具を含む連結金具によって、中間連結部と両端連結部とを連結された並設の２つのヨークと、各ヨークの中間連結点に一端を連結した長さの等しい２つの平行リンクと、平行リンクの他端に連結された碍子側ヨークとから構成されている。また、２つのヨークの中間連結部及び両端連結点と、平行リンクの一端が連結される中間連結点とが、オフセット零になるよう位置されており、有風時でもアンバランスが生じない構成とされている。
【０００９】
また、２連碍子連の線側には、それぞれ連結金具を介して２等辺３角形状の線側２連ヨークの両端部が連結されているとともに、線側２連ヨークの頂点部と垂直ヨーク及び水平ヨーク（多導体固定ヨークを構成するヨークが互いに独立してなるヨーク）とが直角クレビスを介して連結されている。
【００１０】
従って、従来例２の３点支持２連耐張装置は、大まかに言えば、地側バランスヨーク（２つのヨークと碍子側ヨークとからなる）と、２連碍子連と、線側２連ヨークと、多導体固定ヨークとから構成されていると言え、従来例１の３点支持２連耐張装置の水平ヨークと地側２連ヨークとを、碍子側ヨークで兼用した形態となっている。これに加えて、従来例１の水平ヨークと地側２連ヨークとを連結する平行クレビスが省略されているため、装置長を短くすることができ、余裕をもって旧装置の３連耐張装置と同長とすることができる。また、３つの取付点と、並設の２つのヨークとを連結する連結金具にバーニア金具が付加された状態であるため、水平角を有する取付箇所においても、バーニア金具の長さを調節することで取り付けが可能となる。
【００１１】
上記に示した従来例１及び２の３点支持２連耐張装置は、３連耐張装置の老朽化に伴う取替えにあたって、現行の２連耐張装置へと移行すべく考案されたものであって、この耐張装置によれば、既設支持アームの改造や３連耐張装置の再製造を行うことなく、３連耐張装置取付用に製作された既設支持アームに２連耐張装置を取り付けることが可能となり、低コストで取替え作業が完了する。
【００１２】
また、取替え前の旧装置である３連耐張装置の電線クランプを、電線をクランプしたままで流用することができるとともに、３点支持２連耐張装置の長さを旧装置である３連耐張装置と同長とすることで、煩雑な電線弛度調節作業を回避することができる。
【先行技術文献】
【特許文献】
【００１３】
【特許文献１】第２９６９５０４号公報
【発明の概要】
【発明が解決しようとする課題】
【００１４】
しかしながら、上記に示した従来例１の３点支持２連耐張装置においては、１点支持とされた連結部分があるため、安定性に問題があった。詳しくは、地側バランスヨークの水平ヨークに、地側２連ヨークが平行クレビスを介して１点で連結されているとともに、線側２連ヨークの頂点部と多導体固定ヨークとが、支軸を介して１点で水平動可能に連結されているため、捩れ抵抗が小さく、風圧等によって捩れが発生し易く、また、回転や揺れを収束させることが困難で安定性に問題があった。従来例２の３点支持２連耐張装置も同様に、線側２連ヨークの頂点部と垂直ヨークが直角クレビスを介して１点支持で連結されているため、従来例１の３点支持２連耐張装置と比べれば安定性は向上しているものの、依然として捩れ抵抗が小さく、風圧等によって捩れが発生し易く、また、回転や揺れを収束させることが困難で安定性に問題があった。
【００１５】
また、上記に示したように、従来例１においては、地側２連ヨーク及び線側２連ヨークが１点で連結され、また、従来例２においては、線側２連ヨークが１点で連結されているため、不慮の事態で１点支持部分が破断した場合、電線や耐張装置が鉄塔の支持アームから外れ、落下する危険性があった。
【００１６】
さらに、従来例１では、２連碍子連の地側において、２つのヨークと、水平ヨークと、地側２連ヨークとが使用され、線側において、線側２連ヨークと、多導体固定ヨークとが使用されているため、部品点数が多く、コスト高を招いていたとともに、装置長が長くなってしまうため、３連耐張装置と同長とするためには、バーニア金具無しで水平角を有する取付箇所に取付可能な１点支持とせざるを得なかった。従来例２においても、２連碍子連の地側において、２つのヨークと、碍子側ヨークとが使用され、線側においては、線側２連ヨークと、垂直ヨークと、水平ヨークとが使用されており、部品点数が多く、コスト高を招いていたとともに、装置長が長くなってしまうために、短いバーニア金具を使用せねばならず、大きな水平角を有する取付箇所に取り付けることができなかった。
【００１７】
本発明は、上記の実情に鑑みてなされたものであり、３連耐張装置取付用の既設支持アームを改造することなく２連耐張装置を取り付けることが可能で、簡単な構成で且つ安定性を備えた安価な３点支持２連耐張装置を提供することを目的とする。
【課題を解決するための手段】
【００１８】
上記課題を解決するため、この発明に係る３点支持２連耐張装置１は、既設支持アーム５０に設けられた３連耐張装置取付のための３つの取付点１０、１０、１０にそれぞれ連結された直角クレビスリンク１１、１１、１１と直角クレビス１２、１２、１２を介して地側バランスヨーク１３を連結し、この地側バランスヨーク１３に２連耐張装置の２連碍子連２３、２３から線側ヨーク２６を介して電線クランプ３６に至る連結金具２を連結してなる３点支持２連耐張装置において、前記地側バランスヨーク１３は、既設支持アーム５０の３つの取付点１０、１０、１０にそれぞれ連結された直角クレビスリンク１１、１１、１１と直角クレビス１２、１２、１２によって中間連結部と両端部とを連結された並設の２つの地側ヨーク１４、１４からなり、各碍子連２３、２３の地側端部が互いに接続されることなく分離した状態で、地側ヨーク１４、１４にそれぞれ連結されており、線側ヨーク２６は、略中央部から上下方向に垂直板が延出された水平ヨーク２７と、水平ヨーク２７の垂直板と略中央部において接続された上下一対の水平固定ヨーク２９、２９とからなることを特徴としている。
【００１９】
また、各碍子連２３、２３の線側端部が互いに接続されることなく分離した状態で線側ヨーク２６にそれぞれ連結されている。
【００２０】
さらに、地側バランスヨーク１３の中間連結部と両端部及び２連碍子連２３、２３の連結点とが一直線上に形成されている。また、線側ヨーク２６に設けられた２連碍子連２３、２３の連結金具連結点と、電線クランプ３６の連結点とが一直線上に形成されている。
【００２１】
さらにまた、地側バランスヨーク１３の各地側ヨーク１４、１４の両連結金具連結点の間の内側を外側の２倍の比に分かつ各中間連結点に一端を連結した少なくとも直角クレビスリンク１７とボールクレビス２２とを含む連結部材の他端に２連碍子連２３、２３をそれぞれ連結している。
【００２２】
また、地側バランスヨーク１３に取り付けられた直角クレビスリンク１７の他端と碍子連２３に取り付けられたボールクレビス２２との間にバーニア金具（１８）を介装している。また、既設支持アーム５０の取付点１０に連結された直角クレビスリンク１１と地側バランスヨーク１３に連結された直角クレビス１２との間にバーニア金具３８を介装している。
【発明の効果】
【００２３】
この発明の３点支持２連耐張装置においては、２連碍子連の地側に取り付けられるヨークが、２つの地側ヨーク（従来例１及び２の２つのヨークに相当するヨーク）のみであり、２連碍子連の線側に取り付けられるヨークが、線側ヨーク（従来例１の多導体固定ヨーク、従来例２の垂直ヨーク及び水平ヨークに相当するヨーク）のみであることから、従来例１と比べると、水平ヨークと地側２連ヨークと線側２連ヨークを削減でき、また、従来例２と比べると、碍子側ヨークと線側２連ヨークを削減できる。そのため、３点支持２連耐張装置を安価に製作することができるとともに、削減した部品長だけ余裕が生じ、長さの長いバーニア金具を用いることができ、水平角の大きな取付箇所にも取り付けることが可能となる。また、各連碍子連の地側端部が互いに独立した状態、すなわち、それぞれ接続されることなく分離した状態で地側ヨークにそれぞれ直接的に連結されていることで、２点で地側バランスヨークと連結金具が連結されることとなり、地側バランスヨークと碍子連とが１点で連結されている場合に比べて、捩り抵抗が大きくなり、風圧等による回転や揺れを抑え、安定した架線が可能となるとともに、１点の連結に破断が生じても、電線や耐張装置が直ちに落下する虞はなく、安全性の高い耐張装置とすることができる。
【００２４】
また、各連碍子連の線側端部が互いに独立した状態、すなわち、それぞれ接続されることなく分離した状態で線側ヨークにそれぞれ直接的に連結されていることで、さらに捩り抵抗が大きくなり、風圧等による回転や揺れを一段と抑え、安定した架線が可能となる。また、２連碍子連が線側において、２点で連結されているため、１点の連結に破断が生じても、電線や耐張装置が直ちに落下する虞はなく、さらに安全性の高い耐張装置とすることができる。
【００２５】
さらに、地側バランスヨークの中間連結部と両端部及び２連碍子連の連結点とを一直線上（オフセット零）に形成することで、有風時におけるバランス性能の向上を図ることができる。また、線側ヨークの両端に設けた連結金具連結点と、電線クランプ連結点とを一直線上（オフセット零）に形成することで、有風時におけるバランス性能をさらに向上させることができる。
【００２６】
さらにまた、地側バランスヨークの各地側ヨークの両連結金具連結点の間の内側を外側の２倍の比に分けた箇所に中間連結点を設けることで、２連碍子連から伝達される荷重が互いに等しい場合、既設支持アームに設けられた３つの取付点に、それぞれ荷重を等分割させて伝達させることができる。
【００２７】
また、地側ヨークと２連碍子連とを連結する連結金具にバーニア金具を設けることで、水平角を有する箇所に３点支持２連耐張装置を取り付けることが可能となる。若しくは、既設支持アームの３つの取付点と地側ヨークとを連結する連結金具にバーニア金具を設けることで、水平角を有する箇所に３点支持２連耐張装置を取り付けることが可能となるとともに、取替え前の３連耐張装置に使用されていたバーニア金具を流用することもでき、より安価な耐張装置とすることができる。
【図面の簡単な説明】
【００２８】
【図１】本発明の３点支持２連耐張装置の実施形態を示す平面図である。
【図２】同じくその側面図である。
【図３】本発明の３点支持２連耐張装置の別の実施形態を示す平面図である。
【図４】同じくその側面図である。
【図５】本発明の３点支持２連耐張装置のさらに別の実施形態を示す平面図である。
【図６】同じくその側面図である。
【発明を実施するための形態】
【００２９】
この発明の実施形態を、図面を参照しつつ説明する。この発明の第１の実施形態に係る３点支持２連耐張装置１は、図１及び図２に示すように、地側バランスヨーク１３と、２連碍子連２３、２３と、線側ヨーク２６と、これらを連結する連結金具とから構成されている。なお、地側バランスヨーク１３は、並設の２つの地側ヨーク１４、１４から構成され、線側ヨーク２６は、水平ヨーク２７と、水平ヨーク２７に一体的に接続された２枚の水平固定ヨーク２９、２９とから構成されている。以下、それらの構成及び取り合いについて具体的に説明していく。
【００３０】
並設の２つの地側ヨーク１４、１４には、図１及び図２に示すように、既設支持アーム５０の３連耐張装置取付のための３つの取付点１０、１０、１０の間隔と等間隔とされた３つの連結点１５、１５、１５が設けられており、地側ヨーク１４、１４は、取付点１０、１０、１０に、それぞれ連結された直角クレビスリンク１１、１１、１１と直角クレビス１２、１２、１２を介して既設支持アーム５０に連結されている。
【００３１】
また、地側ヨーク１４の両端に形成された連結点１５、１５の間には、内側を外側の２倍の比に分かつ位置１６に、直角クレビスリンク１７の一端が取り付けられ、この直角クレビスリンク１７の他端には、ホーン２１の接続された１枚の調整片１９と、この調整片１９を両側から挟むように配された一対の略扇形状の調整片２０、２０からなるバーニア金具１８が連結され、バーニア金具１８の１枚の調節片１９の他端にボールクレビス２２を介して碍子連２３から電線クランプ（圧縮クランプ）３６に至る連結金具２が連結されている。すなわち、各碍子連２３、２３の地側端部が互いに独立した状態、換言すればそれぞれ接続されることなく分離した状態で、地側ヨーク１４、１４にそれぞれ直接的に連結された状態となっている。従って、２連碍子連２３、２３から電線クランプ３６に至る連結金具２は、既設支持アーム５０の３つの取付点１０、１０、１０に至る過程において、２点以上で支持（連結）された状態であり、捩れ抵抗が大きく、風圧等に対して安定的である。
【００３２】
また、並列の２つの地側ヨーク１４、１４の両端連結点１５、１５及び中間連結点１５と、地側ヨーク１４、１４に連結される直角クレビスリンク１７、１７の連結点１６、１６とを、一直線上、すなわちオフセット零に形成しており、有風時におけるバランス性能を向上させている。
【００３３】
水平角を有する箇所への取り付けにおいては、各碍子連２３、２３の地側にそれぞれ取り付けられたバーニア金具１８の長さを適宜調節することで対応することができる。バーニア金具１８の長さ調節においては、１枚の調整片１９に直列配置された調節孔の適所と略扇形状の調節片２０、２０に円弧配置された調節孔とを重ね合わせボルトで連結することで行う。なお、水平角が零の場合は、バーニア金具１８は無くても良い。また、バーニア金具１８の長さを調節して、元の３連耐張装置と同じ長さとすれば、耐張装置交換時に電線弛度調節作業を行う必要がなくなる。
【００３４】
次に２連碍子連２３、２３の線側に位置する部材の構成及び取り合いについて詳細に説明する。２連碍子連２３、２３の線側端部には、平行ソケット２４、２４が取り付けられており、この平行ソケット２４、２４と、ホーン取付金具を兼ねる直角クレビスリンク２５、２５の一端が連結され、直角クレビスリンク２５、２５の他端と多導体固定ヨーク（線側ヨーク）２６が連結されている。すなわち、各碍子連２３、２３の線側端部が互いに独立した状態、換言すれば、それぞれ接続されることなく分離した状態で多導体固定ヨーク２６にそれぞれ直接的に連結された状態となっている。また、多導体固定ヨーク２６は、両端に直角クレビスリンク２５、２５の連結点２８、２８が形成され、略中央部から上下方向に垂直板が延出された水平ヨーク２７と、水平ヨーク２７の垂直板と略中央部において接続された上下一対の水平固定ヨーク２９、２９とからなる。この水平固定ヨーク２９、２９の両端部には、それぞれ取付点３０、３０が形成されており、上側の水平固定ヨーク２９には、直角クレビス３１、調整片３２、平行クレビス３３を介して圧縮クランプ３６が連結され、下側の水平固定ヨーク２９には、直角クレビス３１、リンク３４、平行クレビス３５、調整片３２、平行クレビス３３を介して圧縮クランプ３６が連結されている。なお、圧縮クランプ３６の一端には、下方に向かってジャンパソケット３７が接続されている。また、圧縮クランプ３６には、図示しない電線が接続されている。
【００３５】
従って、各碍子連２３、２３から平行ソケット２４、２４、直角クレビスリンク２５、２５を介して多導体固定ヨーク２６の水平ヨーク２７に至る過程において、常に２点で連結された状態であり、捩れ抵抗が大きく、風圧等に対して安定的である。また、水平ヨーク２７の両端の連結点２８、２８と、水平ヨーク２７を挟むように上下に設けられた一対の水平固定ヨーク２９、２９の両端にそれぞれ設けられた取付点３０、３０とを、一直線上、すなわち、オフセット零に形成しており、有風時におけるバランス性能を向上させている。
【００３６】
このように、第１の実施形態の３点支持２連耐張装置１によれば、２連碍子連２３、２３の地側に連結されているヨークが、２つの並設の地側ヨーク１４、１４のみであるとともに、２連碍子連２３、２３の線側に連結されているヨークが、多導体固定ヨーク２６のみであるため、従来の３点支持２連耐張装置に比べて、部品（ヨーク）の使用量が少なく、コスト削減を図ることができるとともに、装置長も短くすることができる。また、各碍子連２３、２３の地側端部は、並設の２つの地側ヨーク１４、１４に対して、各碍子連２３、２３の線側端部は、水平ヨーク２７に対して互いに独立した状態、すなわちそれぞれ接続されることなく分離した状態で、それぞれ直接的に連結されているため、捩れ抵抗が大きく、安定的な架線を行うことができる。
【００３７】
次に、第２の実施形態の３点支持２連耐張装置１について詳細に説明を行う。第２の実施形態に係る３点支持２連耐張装置１は、図３及び図４に示すように、バーニア金具３８、３８、３８が、既設支持アーム５０の３つの取付点１０、１０、１０にそれぞれ連結された直角クレビスリンク１１、１１、１１と、地側ヨーク１４、１４の連結点１５、１５、１５にそれぞれ連結された直角クレビス１２、１２、１２との間に連結された形態とされている。バーニア金具３８は、１枚の調整片３９と、その調整片３９を挟むように両側に配置された一対の調整片４０、４０とからなり、各調整片３９、４０、４０には調整孔が直列配置されている。そのため、水平角を有する箇所に対しては、３つのバーニア金具３８、３８、３８の長さを適宜調節することで取り付けることができる。なお、バーニア金具３８の取付位置及びその形状以外は、第１の実施形態と略同様であり、同符号を付し説明を省略している。
【００３８】
第２の実施形態の３点支持２連耐張装置１によれば、上記第１の実施形態の３点支持２連耐張装置１の効果に加えて、既設の３連耐張装置のバーニア金具を流用可能であり、第１の実施形態に比べてさらに低コストで耐張装置の取替えを行うことができる。
【００３９】
次に第３の実施形態の３点支持２点耐張装置１について詳細に説明を行う。第３の実施形態に係る３点支持２連耐張装置１は、図５及び図６に示すように、２連碍子連２３、２３の線側端部に、平行リンク２４、２４を取り付け、この平行リンク２４、２４に、ホーン取付金具を兼ねる直角クレビス４１、４１と、平行クレビスリンク４２、４２と、多導体固定ヨーク２６とが連結された形態である。このように、直角クレビス４１と多導体固定ヨーク２６との間に平行クレビスリンク４２を介装することで、多導体固定ヨーク２６が２連碍子連２３、２３に対して平行移動可能となり、そのため、水平方向のずれを吸収させることができ、３点支持２連耐張装置１への水平方向の曲げ応力の発生を防止することができる。
【００４０】
第３の実施形態の多導体固定ヨーク２６は、両端に平行クレビスリンク４２、４２の連結点４４、４４が形成され、略中央部の２箇所から上下方向に一対の垂直板が延出された水平ヨーク４３と、水平ヨーク４３の垂直板と略中央部において接続された上下一対の水平固定ヨーク４５、４５とから構成されている。また、この水平固定ヨーク４５、４５の両端部には、それぞれ取付点４６、４６が形成されており、第１及び第２の実施形態と略同様の連結金具を介して圧縮クランプ３６・・が連結されている。
【００４１】
第３の実施形態の３点支持２連耐張装置１においても、第１及び第２の実施形態の３点支持２連耐張装置１と同様に、各碍子連２３、２３から平行ソケット２４、２４、直角クレビス４１、４１、平行クレビスリンク４２、４２を介して多導体固定ヨーク２６の水平ヨーク４３に至る過程において、常に２点で連結された状態である。また、水平ヨーク４３の両端の連結点４４、４４と、水平ヨーク４３を挟むように上下に設けられた一対の水平固定ヨーク４５、４５の両端にそれぞれ設けられた取付点４６、４６は、オフセット零に形成されており、有風時におけるバランス性能を向上させている。なお、多導体固定ヨーク２６の形状及び２連碍子連２３、２３と多導体固定ヨーク２６との間に平行クレビスリンク４２、４２を介装させた以外は、第２の実施形態と略同様であり、同符号を付し説明を省略している。
【００４２】
以上、本発明の３点支持２連耐張装置１について説明したように、本発明によれば、既設支持アーム５０に設けられた３連耐張装置取付のための３つの取付点１０、１０、１０に連結金具を介して地側バランスヨーク１３を連結し、この地側バランスヨーク１３に現行の２連耐張装置の２連碍子連２３、２３を連結しているので、既設支持アーム５０を改造することなく、しかも現行の２連耐張装置の大半の連結金具を流用でき、旧装置である３連耐張装置の再製作費や取替え工事費等を削減できる。また、地側バランスヨーク１３を、２つの地側ヨーク１４、１４のみとし、線側ヨーク２６を多導体固定ヨークのみとしていることで、従来の３点支持２連耐張装置より装置長を短くすることができるとともに、ヨーク使用量を減らすことができ、コスト削減に繋げることができる。
【００４３】
また、２連碍子連２３、２３の地側端部を、それぞれ接続することなく分離した状態で地側ヨーク１４、１４に接続していることで、捩れ抵抗が大きくなり、安定性の高い耐張装置とすることができる。また、２連碍子連２３、２３の線側端部を、それぞれ接続することなく分離した状態で多導体固定ヨーク（線側ヨーク）２６に接続していることで、さらに捩れ抵抗が大きくなり、より安定性の高い耐張装置とすることができる。さらに、圧縮クランプ３６に接続される電線からの荷重が常に２つ以上の経路を通って、既設支持アーム５０に伝達されるよう構成されているため、連結金具の破断による耐張装置及び電線の落下を防止することができる。
【００４４】
さらに、３点支持２連耐張装置１は、旧装置の３連耐張装置の圧縮クランプを、電線をクランプしたまま流用することが可能であり、また、部品点数を削減し、装置長を短くしているから、容易に３連耐張装置と同長とすることができる。従って、電線弛度調整を不要とすることも可能となり、取替え工事費を大幅に削減することができる。
【００４５】
以上にこの発明の具体的な実施の形態について説明したが、この発明は上記実施形態に限定されるものではなく、この発明の範囲内で種々変更して実施することが可能である。例えば、上記実施例において、電線クランプ３６として圧縮クランプが用いられていたが、楔型クランプでも良く、楔形クランプとした場合でも、上記実施例と同様の効果を得ることができる。
【符号の説明】
【００４６】
２・・連結金具、１０・・取付点、１３・・地側バランスヨーク、１４・・地側ヨーク、１８・・バーニア金具、２３・・碍子連、２６・・多導体固定ヨーク、３６・・圧縮クランプ、３８・・バーニア金具、５０・・支持アーム
【図１】
0005642980.tif 000002
【図２】
0005642980.tif 000003
【図３】
0005642980.tif 000004
【図４】
0005642980.tif 000005
【図５】
0005642980.tif 000006
【図６】
0005642980.tif 000007